(57)【要約】【課題】  本発明はプリペイドカードを用いて料金を精算する前に停電によりカード情報を書き込めなくなった場合の不正使用を防止することを課題とする。【解決手段】  燃料供給システム１０は、複数の計量機１２と、給油情報を設定する設定器１４と、プリペイドカード１５を発行するプリペイドカード券売機１６と、管理コンピュータ１８とからなる。制御回路４０は、カードリーダ・ライタ４２にプリペイドカード１５が挿入された後、給油中であることを判別するための判別データをプリペイドカード１５の記憶部に書き込む。この判別データは、給油終了後の料金清算処理が正常に行なわれた場合に消去される。そのため、カードリーダ・ライタ４２が挿入されたプリペイドカード１５に記憶されたデータを読み込んだ際に判別データが読み出された場合には、前回の給油時に料金の精算を行なっていないことを判別することができる。【選択図】  図１
2006315737.tif 000002
【特許請求の範囲】
【請求項１】
前払いされた金額に有価価値情報が記憶された情報記憶媒体と、
該情報記憶媒体に記憶された有価価値情報を読み取る情報読取手段と、
該情報読取手段により読み取られた有価価値情報に対応する数値を上限とする燃料供給制御を行なう燃料供給制御手段と、
該燃料供給制御手段による燃料供給制御が開始されると、燃料供給中であることを判別するための判別データを前記情報記憶媒体に書き込む燃料供給中書込手段と、
前記燃料供給制御手段による燃料供給制御が終了されると、前記情報記憶媒体に書き込んだ前記判別データを消去し、燃料供給前の有価価値情報から供給された燃料に対応する金額を減算した有価価値情報を前記情報記憶媒体に書き込む有価価値情報書込手段と、
を備えたことを特徴とする燃料供給システム。
【請求項２】
前記情報読取手段により前記情報記憶媒体に記憶された有価価値情報を読み取った際に前記判別データが読み取られた場合には、前記燃料供給制御手段による燃料供給制御を禁止する禁止手段を備えたことを特徴とする請求項１に記載の燃料供給システム。
【発明の詳細な説明】
【技術分野】
【０００１】
本発明は燃料供給システムに係り、特に料金前払い方式のプリペイドカードに記憶された金額に基づいて燃料の供給を行なうよう構成された燃料供給システムに関する。
【背景技術】
【０００２】
例えば、セルフサービス方式の計量機が設置された給油所等では、給油終了後の料金清算を現金またはプリペイドカードを用いて行なえるようになっている（例えば、特許文献１参照）。このプリペイドカードで清算する場合は、計量機または設定器に設けられたカードリーダ・ライタのカード挿入口にプリペイドカードを挿入することにより、プリペイドカードに記憶されている度数（有価価値情報）を読み取り、この度数に応じた金額を上限とする給油が可能になる。
【０００３】
従って、計量機では、給油前にプリペイドカードがカードリーダ・ライタに挿入された場合、プリペイドカードが正規のカードであることを確認してから読み込まれた度数に応じた給油を許可し、給油が終了すると、給油量に応じた給油金額を減算された度数が書き込まれ、度数が残っている場合には、プリペイドカードを返却する。
【特許文献１】特開２００２−２９３４００号公報
【発明の開示】
【発明が解決しようとする課題】
【０００４】
ところが、上記のような燃料供給システムでは、例えば、給油中に停電などの異常が発生して給油機器が停止した場合には、給油所の係員がカードリーダ・ライタからプリペイドカードを取り出して顧客に返却するといった操作を行なうことになる。
【０００５】
しかしながら、給油中はプリペイドカードがカードリーダ・ライタに挿入された状態のままであり、給油終了した後にプリペイドカードに給油金額を減算された度数を上書きするため、給油が中断された状態でプリペイドカードを取り出してしまうと、プリペイドカードには給油後の度数を書き込めないので、取り出された当該プリペイドカードを次回給油時に使用する際は、プリペイドカードに記憶されている度数が未清算の状態か否かを判別することができないという問題があった。
【０００６】
そこで、本発明は上記課題を解決した燃料供給システムを提供することを目的とする。
【課題を解決するための手段】
【０００７】
上記課題を解決するため、本発明は以下のような手段を有する。
【０００８】
請求項１記載の発明は、前払いされた金額に有価価値情報が記憶された情報記憶媒体と、該情報記憶媒体に記憶された有価価値情報を読み取る情報読取手段と、該情報読取手段により読み取られた有価価値情報に対応する数値を上限とする燃料供給制御を行なう燃料供給制御手段と、該燃料供給制御手段による燃料供給制御が開始されると、燃料供給中であることを判別するための判別データを前記情報記憶媒体に書き込む燃料供給中書込手段と、前記燃料供給制御手段による燃料供給制御が終了されると、前記情報記憶媒体に書き込んだ前記判別データを消去し、燃料供給前の有価価値情報から供給された燃料に対応する金額を減算した有価価値情報を前記情報記憶媒体に書き込む有価価値情報書込手段と、を備えたことを特徴とする。
【０００９】
請求項２記載の発明は、前記情報読取手段により前記情報記憶媒体に記憶された有価価値情報を読み取った際に前記判別データが読み取られた場合には、前記燃料供給制御手段による燃料供給制御を禁止する禁止手段を備えたことを特徴とする。
【発明の効果】
【００１０】
本発明によれば、燃料供給制御が開始されると、燃料供給中であることを判別するための判別データを情報記憶媒体に書き込み、燃料供給制御が終了されると、情報記憶媒体に書き込んだ判別データを消去し、燃料供給前の有価価値情報から供給された燃料に対応する金額を減算した有価価値情報を情報記憶媒体に書き込むため、燃料供給中に異常が発生して燃料供給が停止されて情報記憶媒体を取り出した場合には、判別データが情報記憶媒体に記憶されているで、次回使用時に判別データが読み取られて未清算であることが分かる。
【００１１】
また、情報記憶媒体から判別データが読み取られた場合には、燃料供給制御を禁止するため、例えば、何らかの異常発生により燃料供給が中断された場合には、情報記憶媒体にの有価価値情報を清算して判別データを消去させるための操作が必要になり、有価価値情報を清算しないまま次回の燃料供給を行なうことが禁止されるので、情報記憶媒体の不正使用を未然に防止することができる。
【発明を実施するための最良の形態】
【００１２】
以下、図面を参照して本発明を実施するための最良の形態について説明する。
【実施例１】
【００１３】
図１は本発明になる燃料供給システムの一実施例を示す構成図である。図１に示されるように、燃料供給システム１０は、大略、複数のセルフサービス給油方式の計量機１２と、給油情報（油種、支払い方法など）を設定する設定器１４と、プリペイドカード（情報記憶媒体）１５を発行するプリペイドカード券売機（以下「券売機」という）１６と、事務所内に設置された管理コンピュータ１８とからなる。管理コンピュータ１８は、複数の計量機１２及び設定器１４、券売機１６と通信回線（ＳＳ−ＬＡＮ）２０を介して接続されている。
【００１４】
券売機１６は、入金された金額（例えば、１万円、または５千円）に応じた度数（例えば、１００ポイント、または５０ポイント）を有価価値情報として記憶させたプリペイドカード（図示せず）を発行する。尚、プリペイドカードの磁気記憶部には、上記度数の他に当該給油所から発行された正規のカードか否かを判別するための認証データを含むカード情報が磁気記録されている。
【００１５】
また、設定器１４は、給油を行う操作者（顧客）が所望する油種、給油量または給油金額を入力することにより計量機１２での給油を可能に設定する装置である。尚、本実施例では、設定器１４が計量機１２に設けられているが、計量機１２と別体に設けるようにしても良い。
【００１６】
給油所に到着した車両の運転者（顧客）は、空いている計量機１２の前に車両を停車させてから設定器１４の設定操作を行う。そして、設定器１４は、紙幣または給油所で発行されたプリペイドカードが挿入されて油種が選択されると、管理コンピュータ１８へ設定データ（油種、入金金額またはプリペイドカード１５の度数）を送信する。これに対し、管理コンピュータ１８は、当該計量機１２へ給油許可信号を出力する。これで、計量機１２は、給油可能な状態になり、顧客は計量機１２の給油ノズルを車両の給油口（図示せず）に挿入して給油を開始することができる。
【００１７】
ここで、設定器１４の構成について図２及び図３を参照して説明する。図２に示されるように、設定器１４は、計量機１２の正面及び背面に設けられており、プリペイドカード挿入部２２と、クレジットカード挿入部２４と、インタホン２６と、カード収納庫２８と、油種設定部３０と、レシート発行部３２と、表示器３４とが設けられている。
【００１８】
また、設定器１４の左半分の領域には、プリペイドカード挿入部２２、クレジットカード挿入部２４、インタホン２６が取り付けられた設定部扉３６が設けられている。この設定部扉３６は金属板などからなり、左端部に設けられたヒンジ３８により側方に回動するように取り付けられている。そして、設定部扉３６は、通常は、閉位置にキーロックされており、例えば、挿入されたカードが取り出せない場合にキーロックが開錠されることで、開位置に回動されてカードが取り出せるようになっている。尚、設定部扉３６のヒンジ３８付近には、設定部扉３６の回動位置（開位置または閉位置）を検知する設定部扉開放検知スイッチ４８(図３に示す、図２では隠れて見えない)が設けられている。
【００１９】
図３に示されるように、設定器１４の制御回路４０は、管理コンピュータ１８及び計量機１２を制御する計量機制御装置５０と通信可能に接続されている。設定器１４は、筐体内部に制御回路４０と、クレジットカード用カードリーダ４１と、カードリーダ・ライタ４２と、メモリ４４と、管理モード切換部４６と、設定部扉開放検知スイッチ４８とを有する。制御回路４０は、前述した油種設定部３０、レシート発行部３２、表示器３４の他に、上記クレジットカード用カードリーダ４１、カードリーダ・ライタ４２、メモリ４４、管理モード切換部４６、設定部扉開放検知スイッチ４８と接続されている。
【００２０】
カードリーダ・ライタ４２は、プリペイドカード挿入部２２から挿入されたプリペイドカード１５に記憶されたカード情報（度数及び認証データなど）を磁気的に読み取る読み取り用磁気ヘッド及びプリペイドカード１５に給油後に清算されたデータを上書きする書き込み用磁気ヘッドを有する。
【００２１】
また、カードリーダ・ライタ４２には、挿入されたプリペイドカード１５を内部に引き込み、清算が終了したプリペイドカード１５を返却するカード搬送機構（図示せず）を有する。尚、給油金額を清算したプリペイドカード１５の度数がゼロの場合には、当該プリペイドカード１５を返却せずにカード収納庫２８に収納する。
【００２２】
また、制御回路４０は、カードリーダ・ライタ４２により読み取られたカード情報（度数、認証データ）をメモリ４４に格納し、読み取られたカード情報が正規のものと判定した場合には、表示器３４に当該カード情報に含まれる度数を表示すると共に、管理コンピュータ１８に対して給油許可の要求信号を出力する。そして、管理コンピュータ１８から送信された給油許可信号を受信すると、計量機制御装置５０に給油許可信号を転送する。これで、計量機１２による給油が可能になる。
【００２３】
カードリーダ・ライタ４２は、プリペイドカード１５が挿入された後、給油が開始されると共に、給油中であることを判別するための判別データをプリペイドカード１５の記憶部に書き込む。この判別データは、給油終了後の料金清算処理が正常に行なわれた場合に消去される。そのため、カードリーダ・ライタ４２が挿入されたプリペイドカード１５に記憶されたデータを読み込んだ際に判別データが読み出された場合には、前回の給油時に料金の精算を行なっていないことを判別することができる。この場合、給油許可が得られないため、実質的に当該プリペイドカード１５による給油が禁止される。
【００２４】
管理モード切換部４６は、停電により計量機１２の給油機器（図示せず）が停止状態になったとき、後述するように外部入力装置６０を接続して予め決められたＩＤデータ及びパスワードを入力することにより、カードリーダ・ライタ４２に挿入されたプリペイドカード１５の度数から給油料金分の度数を減算したデータに書き換えてプリペイドカード１５を返却する。
【００２５】
設定部扉開放検知スイッチ４８は、設定部扉３６が開位置に回動された場合にオンになり、その検知信号を制御回路４０に出力する。
【００２６】
ここで、制御回路４０が実行する制御処理について図４及び図５のフローチャートを参照して説明する。図４に示されるように、制御回路４０は、Ｓ１１でプリペイドカード１５がカードリーダ・ライタ４２に挿入されてカード情報が読み取れたか否かをチェックする。
【００２７】
Ｓ１１において、カード情報が読み取られると、Ｓ１２に進み、カード情報の中の度数が１以上か否かをチェックする。このＳ１２において、度数が１以上であるときは、残高ありと判断してＳ１３に進む。このＳ１３では、カード情報の中の判別データが正規のデータか否かをチェックするこのＳ１３において、当該プリペイドカード１５から読み取られた判別データが正規のものではないとき、あるいは判別データそのものが存在しないときは、プリペイドカード１５が正規のものではないので、Ｓ１４に進み、当該プリペイドカード１５を排出する。また、上記Ｓ１２において、プリペイドカード１５に記憶されている度数がゼロのときは、残高なしと判断してＳ１４に進み、当該プリペイドカード１５を排出する。従って、カードリーダ・ライタ４２に挿入されたプリペイドカード１５が、残高のないプリペイドカード１５、あるいは正規のプリペイドカード１５でない場合には、給油を行なうことができない。
【００２８】
また、上記Ｓ１３において、カード情報の中の判別データが正規のデータであるときは、Ｓ１５に進み、油種選択が行なわれたか否かをチェックする。Ｓ１５において、油種設定部３０により油種設定が行なわれた場合には、Ｓ１６に進み、選択された油種の給油ノズル（図示せず）が計量機１２のノズル掛け（図示せず）から外されてノズルスイッチがオフになったか否かをチェックする。
【００２９】
Ｓ１６において、設定された油種のノズルスイッチがオフになると、設定された油種の給油ノズルがノズル掛けから外されて車両の給油口に挿入されたものと判断する。そして、Ｓ１７では、管理コンピュータ１８に給油許可要求信号を出力する。次のＳ１８では、管理コンピュータ１８からの給油許可信号が受信されたか否かをチェックする。Ｓ１８において、管理コンピュータ１８からの給油許可信号が受信されると、Ｓ１９に進み、プリペイドカード１５の磁気記憶部に給油許可を得たことを判別するための給油許可判別データを書き込む。尚、給油許可判別データとしては、特定のデータを書き込んでも良いし、あるいは、既にプリペイドカード１５に記憶されているカード情報の一部を変更してカード情報を書き換えるようにしても良い。
【００３０】
次のＳ２０では、給油が開始されたか否かをチェックする。このＳ２０において、計量機１２の流量計（図示せず）から流量パルスが出力されると、給油が開始されたものと判断して図５に示すＳ２１に進む。このＳ２１では、プリペイドカード１５の磁気記憶部に給油中であることを判別するための給油中判別データを書き込む。尚、給油中判別データとしては、特定のデータを書き込んでも良いし、あるいは、既にプリペイドカード１５に記憶されているカード情報の一部を変更してカード情報を書き換えるようにしても良い。
【００３１】
続いて、Ｓ２２に進み、給油が終了したか否かをチェックする。このＳ２２において、流量計からの流量パルスの出力が停止し、給油ノズルがノズル掛けに掛けられてノズルスイッチがオンに切り替わると給油が停止したものと判断する。そして、Ｓ２３に進み、プリペイドカード１５から読み込まれたカード情報に含まれる度数から今回の給油金額に相当する度数を減算してカード残高を演算する。
【００３２】
また、上記Ｓ２２において、給油が終了しないときは、Ｓ２４に進み、設定部扉３６が開位置に回動されているか否かをチェックする。このＳ２４において、給油中であるのに設定部扉開放検知スイッチ４８がオンであるときは、設定部扉３６が不正に開位置に回動されているものと判断し、Ｓ２５に進み、例えば、計量機１２のポンプを停止し、計量機１２による給油を停止する。そして、上記Ｓ２３に進み、それまで給油した給油量の清算を行なう。これにより、給油中にプリペイドカード１５をカードリーダ・ライタ４２から引き抜いてカード情報の度数を減算する処理を逃れようとする不正行為を防止することができる。
【００３３】
また、上記Ｓ２４において、設定部扉開放検知スイッチ４８がオフであるときは、設定部扉３６が閉位置にあるので、プリペイドカード１５の引き抜き操作が行なわれていないものと判断し、Ｓ２２に戻る。従って、給油中は、上記Ｓ２２とＳ２４の処理を繰り返しており、清算処理前にプリペイドカード１５を取り出すといった不正行為を監視している。
【００３４】
上記Ｓ２３で給油料金の清算処理を行なった後、Ｓ２６に進み、プリペイドカード１５の度数が１以上であり、残高がある場合には、Ｓ２７に進み、プリペイドカード１５の磁気記憶部に書き込んだ給油許可判別データ及び給油中判別データを消去し、清算後の度数（残高）を書き込む。また、上記Ｓ１９，Ｓ２１でカード情報の一部を変更した場合には、Ｓ２７において、カード情報を元の状態に復旧させる。これにより、当該プリペイドカード１５のカード情報は、次回の給油時にも使用可能な状態となる。
【００３５】
続いて、Ｓ２８では、当該プリペイドカード１５に清算後の度数（残高）を印字すると共に、残高に応じた位置に穿孔を設ける。そして、Ｓ２９では、プリペイドカード１５をプリペイドカード挿入部２２から返却する。これで、今回のプリペイドカード１５を用いた給油処理が終了する。
【００３６】
また、上記Ｓ２６において、プリペイドカード１５の度数がゼロであり、残高がない場合には、Ｓ３０に進み、使用歴（履歴データ）があるか否かをチェックする。Ｓ３０において、当該プリペイドカード１５のカード情報に使用歴（履歴データ）が存在する場合には、Ｓ３１に進み、残高ゼロをプリペイドカード１５の記憶部に書込み、Ｓ３２で当該プリペイドカード１５に度数（残高）ゼロを印字すると共に、残高ゼロに応じた位置に穿孔を設ける。そして、Ｓ３３では、当該プリペイドカード１５をカード収納庫２８に回収する。
【００３７】
また、上記Ｓ３０において、当該プリペイドカード１５の磁気記憶部に使用歴（履歴データ）が記憶されていない場合には、Ｓ３４に進み、プリペイドカード１５の磁気記憶部に書き込んだ給油許可判別データ及び給油中判別データを消去し、度数（残高）情報も消去する。この後は、Ｓ３３に移行して当該プリペイドカード１５をカード収納庫２８に回収する。
【００３８】
ここで、停電などにより計量機１２の給油機器が停止した場合の復旧処理について図６のフローチャートを参照して説明する。図６に示されるように、制御回路４０は、Ｓ４１において、管理モードが復旧モードに切り換えられたか否かをチェックする。このＳ４１において、外部入力装置６０が管理モード切換部４６に接続されると、管理モードが復旧モードに切り換えられ、Ｓ４２に進む。このＳ４２では、前述したＳ１９、Ｓ２１で給油許可判別データ及び給油中判別データが書き込まれたプリペイドカード１５がカードリーダ・ライタ４２に挿入されたことを確認する。
【００３９】
続いて、Ｓ４３に進み、パスワードが入力されたか否かをチェックする。Ｓ４３でパスワードが入力されると、Ｓ４４に進み、入力されたパスワードが予め登録された正規のパスワードか否かをチェックする。Ｓ４４において、入力されたパスワードが正しい場合には、Ｓ４５に進み、外部入力装置６０から新残高（度数）が入力されたことを確認する。次のＳ４６では、新残高（度数）を当該プリペイドカード１５の磁気記憶部に書込み、カード情報を更新する。尚、Ｓ４５において、外部入力装置６０から新残高（度数）が入力されないときは、Ｓ４６の処理を省略する。
【００４０】
次のＳ４７では、プリペイドカード１５の磁気記憶部に書き込んだ給油許可判別データ及び給油中判別データを消去し、カード情報を復旧する。また、カード情報の一部が変更されている場合には、残高以外のカード情報を変更前の状態に戻す。そして、Ｓ４８では、当該プリペイドカード１５をプリペイドカード挿入部２２から返却する。これで、停電により停止状態になっても、プリペイドカード１５のカード情報を容易に復旧させることが可能になる。
【００４１】
また、上記Ｓ４４において、入力されたパスワードが間違っている場合には、Ｓ４５〜Ｓ４７の処理を省略してＳ４８に移行し、当該プリペイドカード１５をプリペイドカード挿入部２２から返却する。
【産業上の利用可能性】
【００４２】
上記実施例では、油液を扱う給油システムを例に挙げて説明したが、これに限らず、他の燃料（例えば、ＣＮＧや水素など）を扱う燃料供給システムにも適用できるのは勿論である。
【図面の簡単な説明】
【００４３】
【図１】本発明になる燃料供給システムの一実施例を示す構成図である。
【図２】設定器１４の外観を示す正面図である。
【図３】設定器１４の構成を示すブロック図である。
【図４】制御回路４０が実行する制御処理を説明するためのフローチャートである。
【図５】図４に示す制御処理に続いて制御回路４０が実行する制御処理を説明するためのフローチャートである。
【図６】停電で給油機器が停止した場合の復旧処理を説明するためのフローチャートである。
【符号の説明】
【００４４】
１０  燃料供給システム
１２  計量機
１４  設定器
１５  プリペイドカード
１６  プリペイドカード券売機
１８  管理コンピュータ
３０  油種設定部
３６  設定部扉
４０  制御回路
４２  カードリーダ・ライタ
４６  管理モード切換部
５０  計量機制御装置
６０  外部入力装置
【図１】
2006315737.tif 000003
【図２】
2006315737.tif 000004
【図３】
2006315737.tif 000005
【図４】
2006315737.tif 000006
【図５】
2006315737.tif 000007
【図６】
2006315737.tif 000008